(57)【要約】  媒体ドライブが開示される。一実施態様では、媒体ドライブは、ディスクホルダ、ドライブレーザ、ディスクリーダ、及びルミネッセンス検出器を含むことができる。ディスクホルダは、媒体ディスクに回転力を加えることができる。ドライブレーザは、媒体ディスクがディスクホルダ内に配置されると、レーザからの光が媒体ディスク上に入射するように配置される。ディスクリーダは、媒体ディスクからデータを受け取るように配置される。媒体ディスクを認証するための方法もまた開示される。この方法は、物品をリーダ内に配置する工程、物品の少なくとも一部分を情報リーダで照射する工程、照射されている物品のルミネッセンス発光をモニターする工程、及びルミネッセンス発光が真正の物品と一致するかどうかを判定する工程を含むことができる。ルミネッセンス材料が存在する場合には、情報リーダは、ルミネッセンス材料を励起して、ルミネッセンス発光を生成する。
2009510663.tif 000002
【特許請求の範囲】
【請求項１】
媒体ディスクに回転力を加えることができるディスクホルダ；
前記媒体ディスクが前記ディスクホルダ内に配置されると、レーザからの光が前記媒体ディスク上に入射するように配置されるドライブレーザであって、前記媒体ディスク上への記録、前記媒体ディスク上の情報の再生、またはそれら両方のために前記光を使用することができるドライブレーザ；
前記媒体ディスクからデータを受け取るように配置されるディスクリーダ；及び
ルミネッセンス検出器；
を含む、媒体ドライブ。
【請求項２】
前記ルミネッセンス検出器が前記ディスクリーダに隣接して配置される、請求項１に記載の媒体ドライブ。
【請求項３】
前記ドライブレーザが真正の媒体内のルミネッセンス材料からルミネッセンス発光を生じさせうる、請求項１に記載の媒体ドライブ。
【請求項４】
前記ルミネッセンス検出器が前記ディスクリーダに取り付けられる、請求項１に記載の媒体ドライブ。
【請求項５】
前記ルミネッセンス検出器が光ファイバを含む、請求項１に記載の媒体ドライブ。
【請求項６】
付加的なドライブレーザを含む、請求項１に記載の媒体ドライブ。
【請求項７】
前記ルミネッセンス検出器と通信動作可能な比較器をさらに含む、請求項１に記載の媒体ドライブ。
【請求項８】
前記ルミネッセンス検出器が、光電子増倍管、電荷転送デバイス、光プローブ、導光素子、及び前述の少なくとも１つを含む組合せからなる群から選択されるデバイスを含む、請求項１に記載の媒体ドライブ。
【請求項９】
ディスクホルダ、ドライブレーザ、ディスクリーダ、及びルミネッセンス検出器を含む媒体ドライブ内に、前記媒体ディスクを配置する工程；
前記ディスクを回転させる工程；
前記ディスクの少なくとも一部分を前記ドライブレーザで照射する工程であって、ルミネッセンス材料が存在する場合、前記ドライブレーザは、前記ルミネッセンス材料を励起してルミネッセンス発光を生成する工程；
前記照射されている媒体ディスクのルミネッセンス発光を経時的にモニターする工程；並びに
前記ルミネッセンス発光が真正のディスクと一致するかどうかを判定する工程；
を含む、媒体ディスクの認証方法。
【請求項１０】
異なる放射状の位置を有する前記媒体ディスクの部分上に前記光が入射するように、前記ドライブレーザと前記媒体ディスクとの間に相対的な放射状の動作を生成させる工程をさらに含む、請求項９に記載の方法。
【請求項１１】
相対的な動作を生成させる工程が、前記物品を手動で動かす工程を含む、請求項１０に記載の方法。
【請求項１２】
前記ルミネッセンス発光が前記真正のディスクと一致しない場合、前記媒体ディスクの読み出しを防止する動作、前記媒体ディスクへの書き込みを防止する動作、前記媒体ディスクを排出する動作、前記媒体ドライブを動かなくして前記媒体ディスクの取り出しを防止する動作、前記媒体ディスクが真正でないことを再確認する動作、前記媒体ディスクの将来の使用を阻止するために前記媒体ディスクに印をつける動作、前記媒体ドライブを止める動作、警告を表示する動作、真正の媒体製造者にメッセージを送る動作、及び前述の少なくとも１つを含む組合せからなる群から選択される１つの動作を実施する工程をさらに含む、請求項９に記載の方法。
【請求項１３】
前記ルミネッセンス材料が蛍光材料である、請求項９に記載の方法。
【請求項１４】
物品ホルダ、情報リーダ、及びルミネッセンス検出器を含むリーダ内に、前記物品を配置する工程；
前記物品の少なくとも一部分を前記情報リーダで照射する工程であって、ルミネッセンス材料が存在する場合、前記情報リーダは、前記ルミネッセンス材料を励起してルミネッセンス発光を生成する工程；
前記照射されている物品のルミネッセンス発光を経時的にモニターする工程；
前記ルミネッセンス発光が真正の物品と一致するかどうかを判定する工程；
を含む、物品の認証方法。
【請求項１５】
前記物品が、クレジットカード/デビットカード、旅券、賭博場チップ、及び個人身分証明書からなる群から選択される媒体である、請求項１４に記載の方法。
【請求項１６】
前記ルミネッセンス発光が前記真正の物品と一致しない場合、前記物品の読み出しを防止する動作、前記物品への書き込みを防止する動作、前記物品を排出する動作、前記リーダを動かなくして前記物品の取り出しを防止する動作、前記物品が真正でないことを再確認する動作、前記物品の将来の使用を阻止するために前記物品に印をつける動作、前記リーダを止める動作、警告を表示する動作、真正の物品製造者にメッセージを送る動作、及び前述の少なくとも１つを含む組合せからなる群から選択される１つの動作を実施する工程をさらに含む、請求項１４に記載の方法。
【請求項１７】
前記ルミネッセンス材料が蛍光材料である、請求項１４に記載の方法。
【発明の詳細な説明】
【技術分野】
【０００１】
この開示は、認証システム、データデバイス、及びデータデバイスを使用する方法に関する。一実施態様では、媒体ドライブは、ディスクホルダ、ドライブレーザ、ディスクリーダ、及びルミネッセンス検出器を含むことができる。ディスクホルダは、媒体ディスクに回転力を加えることができる。ドライブレーザは、媒体ディスクがディスクホルダ内に配置されると、レーザからの光が媒体ディスク上へ入射するように配置される。媒体ディスク上への記録、媒体ディスク上の情報の再生、またはそれら両方に、光を使用することができる。ディスクリーダは、媒体ディスクからデータを受け取るように配置される。
【背景技術】
【０００２】
データ記憶媒体の分野では、音楽会社、映画スタジオ、ビデオゲーム製造業者、コンピュータソフトウエア製造業者等のデジタルコンテンツ所有者は、彼らのデジタルコンテンツを様々な形態のデータ記憶媒体上に配布するに際して、柔軟性が増加することを望んでいる。コンパクトディスク（CD）、デジタル多用途ディスク（DVD）、強化ビデオディスク（ECD）、追記型コンパクトディスク（CD-R）、及び追記型デジタル多用途ディスク（DVD-R）等のデータ記憶媒体の様々な製造業者及びユーザーに直面している主要な問題は、無許可の製造業者、販売業者、及び/またはユーザーによる情報の無許可の再生産または複写である。データ記憶媒体のこのような無許可の再生産または複製は、しばしば海賊行為と呼ばれる。海賊行為は、最終使用の時点での消費者レベルでの海賊行為、並びに商用レベルでのデータ、基板、及び反海賊行為情報の大規模な複製を含む様々な様式で生じうる。その様式にかかわらず、データ記憶媒体の海賊行為は、合法なデジタルコンテンツ供給者及び製造業者からかなりの収益及び利益を奪い取る。
【０００３】
消費者レベルでの海賊行為を阻止する試みは、保護しようとする情報と一緒に、電子的反海賊行為信号を情報担持基板上へ配置することを含んでいる。このようなデータ記憶媒体のリーダ及びプレーヤー機器は、所望の情報にアクセスすることを許可する前に、このような反海賊行為信号の識別を必要とするように設定されている。理論的には、消費者レベルでの複製は、無許可の複写上のこれらの電子的反海賊行為信号を再生することができず、従って、使用できない複製物及び複写物をもたらす。
【０００４】
しかしながら、このような消費者レベルでの反海賊行為技術を妨げる多くの技術が開発されており、また開発され続けている。さらに、商用レベルでの複製は、無許可の複製物が今では本来の電子的反海賊行為回路、符号等を含むことができるという段階にまで進化している。例えば、商用レベルでの複製方法には、ピット複写、ラジオ周波数（RF）複写、「ビット対ビット」複写、及び他の鏡像複写技術が含まれ、これらは、保護しようとする情報と一緒に、複製物の情報担持基板上への反海賊行為信号の配置をもたらす。ハッカーによって一般に使用されている他の技術には、コンピュータコードを変更することが含まれ、反海賊行為（複写防止または防複写対策とも呼ばれる）機能を除去し、データへの無制限のアクセスを可能となる。
【０００５】
真正版かまたは海賊版かを容易に識別できるデータ記憶媒体を有することが望ましいであろう。これらのさらに巧妙化した消費者レベル及び商用レベルでの再生産及び複写の実施に対抗することを目指す１つの反海賊行為技術には、データ記憶媒体の構成に使用される基板内に「タグ」または認証マーカーを配置することが含まれる。このようなタグまたは認証マーカーを、データ記憶媒体の製造または流通網に沿った１つ以上の箇所で、あるいは特定のデータ記憶媒体上のデータにアクセスするために使用される最終使用リーダまたはプレーヤーによって検出することができる。
【０００６】
データ記憶媒体に使用されるプラスチック組成物の自動識別は、再生利用、製造元の追跡、反海賊行為保護、及びその他等の様々な用途のために非常に望ましい。さらに、それはデータ記憶媒体の自動認証のために望ましい。
【特許文献１】米国特許第5,573,909号
【発明の開示】
【発明が解決しようとする課題】
【０００７】
前述の状況にもかかわらず、認証検出器及びその使用方法に対する要望が依然としてある。
【課題を解決するための手段】
【０００８】
この開示は、認証システム、データデバイス、及びデータデバイスを使用する方法に関する。一実施態様では、媒体ドライブは、ディスクホルダ、ドライブレーザ、ディスクリーダ、及びルミネッセンス検出器を含むことができる。ディスクホルダは、媒体ディスクに回転力を加えることができる。ドライブレーザは、媒体ディスクがディスクホルダ内に配置されると、レーザからの光が媒体ディスク上へ入射するように配置される。媒体ディスク上への記録、媒体ディスク上の情報の再生、またはそれら両方に、光を使用することができる。ディスクリーダは、媒体ディスクからデータを受け取るように配置される。
【０００９】
一実施態様では、媒体ディスクを認証するための方法は、媒体ディスクを媒体ドライブ内に配置する工程、ディスクを回転させる工程、ディスクの少なくとも一部分をドライブレーザで照射する工程、照射されている媒体ディスクのルミネッセンス発光（もし存在すれば）をモニターする工程、及びルミネッセンス発光が真正のディスクと一致するかどうかを判定する工程を含むことができる。
【００１０】
別の実施態様では、物品を認証するための方法は、物品をリーダ内に配置する工程、物品の少なくとも一部分を情報リーダで照射する工程、（例えば、長時間にわたり）照射されている物品のルミネッセンス発光をモニターする工程、及びルミネッセンス発光が真正の物品と一致するかどうかを判定する工程を含む。ルミネッセンス材料が存在する場合、情報リーダは、ルミネッセンス発光を生成するためにルミネッセンス材料を励起する。リーダは、物品ホルダ、情報リーダ、及びルミネッセンス検出器を含むことができる。
【発明を実施するための最良の形態】
【００１１】
本明細書では、用語「第１の」、「第２の」等は、任意の量、順序、または重要性を示すものではなく、むしろ１つの要素を別の要素と区別するために使用されることに留意されたい。さらに、本明細書で開示されるすべての範囲は包括的で、組合せ可能である（例えば、「25重量%まで、望ましくは5重量%〜20重量%」の範囲は、「5重量%〜25重量%まで」の範囲の端点及びすべての中間値を含むなど）。量に関連して使用される修飾語「約（about）」は表示された値を含み、文脈によって示されている意味を有する（例えば、特定の量の測定に関連する誤差の程度を含む）。媒体中の「色（color）」は、媒体へ導かれた可視エネルギーの少なくとも一部分が媒体によって影響を受けていることを意味すると意図される。可視エネルギーは、例えば、ある波長の吸収、散乱、拡散、及び/または反射によって影響され、それゆえ「色」を生成しうる。「無色/透明」媒体または青色染料の100万分の1範囲を有する媒体でさえ、光を吸収し、それゆえ「色」を含むであろうことに留意されたい。同様に、金属反射層またはCD-R染料は可視光源と相互作用し、それゆえ、これらのいずれかを含む任意の媒体は「色」を含むと考えられる。ルミネッセンスは、放射にさらされた物体または物質による、例えばリン光、蛍光、または生物発光による電磁放射の放出である。
【００１２】
媒体システムは、ディスクリーダ（例えば、光ピックアップ）、ルミネッセンス材料からのルミネッセンス発光を誘導できる電磁放射源（例えば、ドライブレーザ）、及び電磁放射源と通信動作可能なルミネッセンス検出器（例えば、光学フィルタ付きの光感知デバイス等、光ファイバを含んでよい）を含むことができる。電磁放射源に加えて、媒体システム（例えば、媒体ドライブ）は、比較器、及び媒体受け部（例えば、運搬システム、ドライブ、ロボットアーム、媒体（例えば、ディスク）集配システム等）を含むことができる。さらに、認証システムを外部光から遮蔽するのが望ましく、この外部光は、システムの性能を制限する可能性のある非所望のノイズを生成することによって、認証に影響する可能性がある。認証システムを遮蔽する方法は、不透明な筺体（例えば、トレイが閉じた時のみ認証が実施される光ドライブ筺体）を有する工程、接触測定のために不透明な目張り/ガスケットを用いる工程（例えば、システムが媒体と接触し、外部光がガスケットによって遮断された時に、測定が実施されるであろう）を含む。
【００１３】
真正の媒体が媒体ドライブ内に置かれると、ドライブレーザは媒体中のフルオロフォアを励起し、媒体から（例えば、基板、ラベル、及び/または基板上の層が、個々にフルオロフォアを含むデータ記憶媒体基板の読み出し側から）ルミネッセンス発光を生成する。次いで、前記発光を用いてディスクの真正性を判定することができるように、ルミネッセンス検出器が発光を検出する。例えば、光媒体が光ドライブ内へ挿入されると、ドライブの２つのレーザが次々と作動し、ディスク（光媒体）の型を識別するためにアルゴリズムが適用される。ディスクの型が明らかになると、適切なレーザが止まる。レーザはディスクの型を識別する一方で、レーザの少なくとも１つは光媒体内のフルオロフォア（もし存在すれば）を励起する。ディスクリーダに取り付けられた検出器は、フルオロフォアのルミネッセンス発光を（例えば、長時間にわたり）検出する。フルオロフォアの特性（例えば、スペクトル的な、時間的な、強度的な、レシオメトリックな、及び/または他の特徴）が用いて、ディスクの真正性を識別する。ディスクが真正な場合には、処理は続く（例えば、それに応じて、ディスクは読み出され及び/または書き込まれる）。しかしながら、ディスクが真正でない場合には、読み出し及び/または書き込み処理は阻止される。任意選択的に、ディスクが偽物と識別されると、以下の動作の１つ以上が実施されうる。すなわち、いくつかある動作の中で、ドライブを開いてディスクを排出することができ、ドライブをロックしてディスクの取り出しを阻止することができ、真正でないディスクの状態を再確認することができ、ディスクに印をつけてディスクの将来の使用を阻止することができ、ドライブを止めることができ、ドライブが警告（例えば、偽のディスク、点検が必要な合図）を表示することができ、ドライブが製造業者にメッセージを送ることができ（適切なサービスに接続されていれば）、並びに前述の少なくとも１つを含む組合せも可能である。
【００１４】
一実施態様では、光感知デバイスは、検出しようとするフルオロフォアのスペクトル分布（例えば、可視スペクトル分布）の少なくとも一部分を含むスペクトル感度範囲（すなわち、真正の媒体によって放出されるルミネッセンス発光波長範囲）を有するルミネッセンス検出器を含むことができる。望ましくは、光感知デバイスの少なくとも１つは、ピーク波長近傍の所望の光ルミネッセンス（例えば、所望の光ルミネッセンス発光のピーク波長から±20nm）を含み、光感知デバイスの少なくとも１つが、所望の光ルミネッセンス発光のピーク波長を含むことはさらに望ましい。
【００１５】
一実施態様では、データ記憶媒体の認証は、例えばディスクリーダに取り付けられた、ルミネッセンス検出器をさらに含むディスクドライブを用いて達成されうる。フルオロフォア（もし存在すれば）を励起するために使用されるエネルギーは、ドライブレーザ（例えば、媒体から読み出すために及び/または媒体へ書き込むために使用されるレーザ）によって供給されうる。システムが複数のレーザを含む場合には、１つ以上のレーザを使用することができる。従って、認証システムは、キオスクマシン（例えば、コンテンツライブラリから選択された音声及び/または視覚データをディスク上へ配置することができるマシン）、光ドライブ（例えば、CD/DVDデバイス等）、クレジットカード/デビットカードリーダ、旅券リーダ、賭博場チップ認証デバイス、部品認証/分類マシン等を含む、様々な検出用途及びデバイスに利用されうる。本明細書において、システム及びデバイスは記憶ディスク及びディスクドライブに関連して記載されるが、システム及び方法は、前述のもの（例えば、クレジットカード/デビットカード、旅券、賭博場チップ、個人身分証明書等（例えば、運転免許証、雇用識別カード、ビザ、会員カード等））、及びそれらのマシン（例えば、クレジットカード/デビットカードリーダ、旅券リーダ、個人身分証明書リーダ、賭博場チップ認証デバイス、部品認証/分類マシン等）を含む、他の記憶媒体に適用されると解される。
【００１６】
別の実施態様では、認証システムは、データデバイス（例えば、データ記憶媒体から読み出す且つ/またはそれへ書き込むことができるデバイス（ここで書き込むとは、データを媒体上に/内に配置するすべての形態を含む））の一部分である認証デバイスとすることができる。この適用では、認証デバイスは、データ記憶媒体の読み出し側から１つ以上の検出されるアナログ特性を生成することができ、２つ以上の特性を有することが好ましい。測定デバイスは、ルミネッセンスを測定することができる。ルミネッセンスから生成された検出される特性は、検出される特性が真正の媒体からのものであるかどうかを判定することができる比較器によって使用される。
【００１７】
比較器は、測定デバイス及び情報デバイスと通信動作可能である。情報デバイスは、１つ以上のセッションにおいて、真正の媒体から読み出す且つ/またはそれへ書き込むことができる。比較器は真正の媒体を受け入れるか、または真正でない媒体を拒絶することができ、それによって、例えば、情報デバイスは媒体から読み出す且つ/またはそれへ書き込む、あるいは媒体から読み出す且つ/またはそれへ書き込むことを拒絶するようになる。任意選択的に、データデバイスは、将来の使用のためにデータ記憶媒体をデバイス内に保管できるような媒体ホルダ、及び/または外部ソースからデータ記憶媒体（データを含まないがデジタル識別情報を含むことができる、追記型または書き換え型光ディスク等）を受け取るための処理システムを有することができる。処理システムは、顧客が媒体をキオスクマシン内へ挿入できるようにする。任意選択的に、データデバイスは、認証システムを認証デバイスとして用いることができる。
【００１８】
認証システム内へ受け入れることができる任意の物品を認証することができる。真正の物品は、エネルギーが接触すると、ルミネッセンスを基準特性と比較することができるような蛍光を発するタグを有するはずである。例えば、例示のデータ記憶媒体は、検出可能な特性（例えば、検出可能なルミネッセンス発光）を生成することができる媒体（例えば、ディスクドライブの読み出し及び/または書き込みレーザの波長で励起されうるタグまたは光識別子を含む媒体）を含む。データ記憶媒体は、光及び光磁気媒体形式、例えば、コンパクトディスク（CD）（例えば、追記型コンパクトディスク（CD-R）、書き換え型コンパクトディスク（CD-RW）等）、光磁気ディスク、デジタル多用途ディスク（例えば、DVD-5、DVD-9、DVD-10、DVD-18、DVD-R、DVD-RW、DVD+RW、DVD-RAM、HD-DVD等）、ブルーレイ（Blu-Ray）ディスク、強化ビデオディスク（EVD）、追記型及び書き換え型ブルーレイディスク等、並びに前述の少なくとも１つを含む組合せ（例えば、CD及びDVD形式を含むハイブリッドディスク）を含む。検出可能なルミネッセンスは、媒体の任意の部分、例えば、基板、被覆、接着層、及び/または同様のものから生成されうる。一般に、データ記憶媒体は、１つ以上のデータ記憶部分（例えば、磁気的、光磁気的、光学的等のものであり、その部分は材料の層及び/または表面特徴（ピット、グルーブ、ランド等）であってもよい）を備える基板、反射層、半反射層、保護層、誘電体層、絶縁層、接着層等、並びに前述の少なくとも１つを含む組合せを含む。
【００１９】
基板は、約0.3mm〜約2mm、または特に約0.3mm〜約1.5mm、またはとりわけ約0.6mm〜約0.2mmの厚さを有することができる。基板材料の例は、非晶質、結晶質、及び/または半結晶質の熱可塑性材料、例えば、ポリ塩化ビニル、ポリオレフィン（線状及び環状ポリオレフィンを含み、ポリエチレン、塩素化ポリエチレン、ポリプロピレン等を含む）、ポリエステル（ポリエチレンテレフタレート、ポリブチレンテレフタレート、ポリシクロヘキシルメチレンテレフタレート等を含む）、ポリアミド、ポリスルホン（水素化ポリスルホン等）、ポリイミド、ポリエーテルイミド、ポリエーテルスルホン、ポリフェニレンサルファイド、ポリエーテルケトン、ポリエーテルエーテルケトン、ABS樹脂、ポリスチレン（水素化ポリスチレン、シンジオタクチックポリスチレン及びアタクチックポリスチレン、ポリシクロヘキシルエチレン、スチレン-co-アクリロニトリル、スチレン-co-無水マレイン酸等）、ポリブタジエン、ポリアクリレート（ポリメチルメタクリレート、メチルメタクリレートとポリイミドのコポリマー等を含む）、ポリアクリロニトリル、ポリアセタール、ポリカーボネート、ポリフェニレンエーテル（2,6-ジメチルフェノールから誘導されるもの、及び2,3,6-トリメチルフェノールとのコポリマー等を含む）、エチレン-ビニルアセテートコポリマー、ポリビニルアセテート、液晶ポリマー、エチレン-テトラフルオロエチレンコポリマー、芳香族ポリエステル、ポリフッ化ビニル、ポリフッ化ビニリデン、ポリ塩化ビニリデン、ポリテトラフルオロエチレン等、並びに熱硬化性樹脂、例えば、エポキシ、フェノール、アルキド、ポリエステル、ポリイミド、ポリウレタン、無機物充填シリコーン、ビス-マレイミド、シアネートエステル、ビニル、及びベンゾシクロブテン樹脂等、加えて、前述の少なくとも１つを含む組合せ、ブレンド、コポリマー、混合物、反応生成物、及び合成物を含む。
【００２０】
データ記憶媒体を認証できるためには、媒体（例えば、ポリマー（基板等））は、励起されると検出可能なルミネッセンス発光を生成することができる識別子、例えば、ルミネッセンス染料等のタガント（この用語は本明細書では用語「タグ」と交換可能に使用される）を含まなければならない。任意選択的に、ポリマーは、検出可能な光ルミネッセンスを生成するためにタガントを添加する必要がないような、固有の光ルミネッセンスを示すことができる。例えば、フリーズプロダクト（Fries Product）は、ルミネッセンス（例えば、蛍光）分光法の使用によってポリカーボネート中で検出されうる。別の実施態様では、蛍光モノマーは、ポリマーの骨格または終端キャップ内に共重合化される。任意選択的に、媒体は、光学的に可変なタグ、例えば、時間の関数として強度及び/または波長が変化するルミネッセンス発光を有する化合物を含むことができる。一実施態様では、媒体は、数回評価されるように、すなわち認証信号が繰り返し可能であるように設計することができ、一方、他の実施態様では、例えば、１つ以上の認証手順の後劣化する光学的に可変なタグの使用により、認証信号は一回だけ評価可能であるかもしれない。例示の一実施態様では、認証可能なポリマーは、例えば、光デバイスまたはキオスクにおける使用の間の様々な時点で、複数回認証されるうる光学的に可変なタグを含むであろう。
【００２１】
光学的に可変の適切なタグは、ポリマーと化学的に共存可能なように選択され、工業用プラスチック合成と一致する、特にそれが含まれる媒体の一部分（例えば、ポリマー基板）の処理条件と一致する熱的安定性を有するルミネッセンス材料を含む。例示の実施態様では、ルミネッセンスタグは、周囲の環境条件に対する高い構造安定性、及び約350℃以上の、または特に約375℃以上の、またはとりわけ約400℃以上さえの温度安定性を示す染料の部類から選択される。望ましくは、タグは、近赤外内で（例えば、多くの光ドライブにおいて使用されているレーザの波長である約650及び/または約780nmにおいて）及び/または可視スペクトル内で（例えば、青色レーザの波長である約405nmにおいて）吸収する。利用できるレーザ（励起源）に応じて、他の波長における励起もまた許容されうる。
【００２２】
可能な光学的に可変のタグは、オキサジアゾール誘導体、ルミネッセンス共役ポリマー等を含む。適切なルミネッセンス共役ポリマーの例示的な例は、青色発光ルミネッセンスポリマー、例えば、ポリパラフェニレンビニレン誘導体である。適切なオキサジアゾール誘導体の例示的な例は、2位のビフェニルまたは置換ビフェニル、及び5位のフェニル誘導体で置換されたオキサジアゾール誘導体を含む。例えば、tert-ブチルフェニルオキサジアゾール、ビス（ビフェニリル）オキサジアゾール、並びにこれらのタグの少なくとも１つを含む混合物である。
【００２３】
あるいは、またはさらに、タグは光学的に可変でない化合物であってもよく、任意選択的に、組み合わせて使用されると光学的に可変なタグからの信号を増強するように選択されるルミネッセンスタグであってもよい。ルミネッセンスタグは、有機フルオロフォア、無機フルオロフォア、有機金属フルオロフォア、リン光材料、ルミネッセンス材料、半導体ルミネッセンスナノ粒子（「量子ドット」とも呼ばれる（例えば、Evident Technologies, Troy, NY, USAによって市販されているような、CdSe/ZnS、CdTe/CdS、InGaP/ZnS等のコアシェル粒子を含む、CdSe、CdTe、CdS、ZnS、Cd3P2、PbSe））、並びに前述のタグの少なくとも１つを含む組合せを含む。
【００２４】
マトリックス吸収の背後にあるルミネッセンスタグを有することが望ましく、ここでマトリックス吸収とは、媒体（例えば、基板内の）からの、またはタグ以外の基板内に存在する任意の添加物または着色剤からの基幹（backbone）吸収のようなものである。あるいは、可視領域外（例えば、紫外範囲内）に励起ピーク波長を有し、スペクトルの可視領域内または近赤外領域内にピーク発光を有するルミネッセンスタグを有することが望ましい。励起ピークと発光ピークとの間の差が約50nmよりも大きい場合、これらの化合物は通常長い（正の）ストークスシフト染料と呼ばれる。例示の実施態様では、ルミネッセンスタグは、長い紫外線波長によって励起され、且つ可視領域において発光する長いストークスシフト染料の部類から選択される。
【００２５】
例示のルミネッセンスタグは、例えば、ポリアザインダセン及び/またはクマリン（米国特許第5,573,909号で示されているものを含む）、ランタニド錯体、炭化水素及び置換炭化水素染料、多環芳香族炭化水素、シンチレーション染料（例えば、オキサゾール及びオキサジアゾール）、アリール-及びヘテロアリール-置換ポリオレフィン（C2-C8オレフィン部分）、カルボシアニン染料、フタロシアニン染料及び顔料、オキサジン染料、カルボスチリル染料、ポルフィリン染料、アクリジン染料、アントラキノン染料、アントラピリドン染料、ナフタルイミド染料、ベンズイミダゾール誘導体、アリルメタン染料、アゾ染料、ジアゾニウム染料、ニトロ染料、キノンイミン染料、テトラゾリウム染料、チアゾール染料、ペリレン染料、ペリノン染料、ビス-ベンゾオキサゾリルチオフェン（BBOT）、キサンテン染料（例えば、チオキサンテン染料）、インジゴイド染料（例えば、チオインジゴイド染料）、クロモン染料、フラボン染料等の染料、並びに本明細書で開示されているルミネッセンスタグの少なくとも１つを含む誘導体、及び本明細書で開示されているルミネッセンスタグの少なくとも１つを含む組合せである。ルミネッセンスタグはまた、近赤外波長において吸収し、且つ可視波長において発光する反ストークスシフト染料も含む。
【００２６】
以下は、いくつかのルミネッセンス染料の部分的なリストである。すなわち、特に、5-アミノ-9-ジエチルイミノベンゾ（a）フェノキサゾニウム過塩素酸7-アミノ-4-メチルカルボスチリル、7-アミノ-4-メチルクマリン、7-アミノ-4-トリフルオロメチルクマリン、3-（2'-ベンズイミダゾリル）-7-N,N-ジエチルアミノクマリン、3-（2'-ベンゾチアゾリル）-7-ジエチルアミノクマリン、2-（4-ビフェニリル）-5-（4-t-ブチルフェニル）-1,3,4-オキサジアゾール、2-（4-ビフェニリル）-5-フェニル-1,3,4-オキサジアゾール、2-（4-ビフェニル）-6-フェニルベンゾオキザゾール-1,3、2,5-ビス-（4-ビフェニリル）-1,3,4-オキサジアゾール、2,5-ビス-（4-ビフェニリル）-オキサゾール、4,4'-ビス-（2-ブチルオクチルオキシ）-p-クオーターフェニル、p-ビス（o-メチルスチリル）-ベンゼン、5,9-ジアミノベンゾ（a）フェノキサゾニウム過塩素酸塩、4-ジシアノメチレン-2-メチル-6-（p-ジメチルアミノスチリル）-4H-ピラン、1,1'-ジエチル-2,2'-カルボシアニンヨウ化物、1,1'-ジエチル-4,4'-カルボシアニンヨウ化物、3,3'-ジエチル-4,4',5,5'-ジベンゾチアトリカルボシアニンヨウ化物、1,1'-ジエチル-4,4'-ジカルボシアニンヨウ化物、1,1'-ジエチル-2,2'-ジカルボシアニンヨウ化物、3,3'-ジエチル-9,11-ネオペンチレンチアトリカルボシアニンヨウ化物、1,3'-ジエチル-4,2'-キノリルオキサカルボシアニンヨウ化物、1,3'-ジエチル-4,2'-キノリルチアカルボシアニンヨウ化物、3-ジエチルアミノ-7-ジエチルイミノフェノキサゾニウム過塩素酸塩、7-ジエチルアミノ-4-メチルクマリン、7-ジエチルアミノ-4-トリフルオロメチルクマリン、7-ジエチルアミノクマリン、3,3'-ジエチルオキサジカルボシアニンヨウ化物、3,3'-ジエチルチアカルボシアニンヨウ化物、3,3'-ジエチルチアジカルボシアニンヨウ化物、3,3'-ジエチルチアトリカルボシアニンヨウ化物、4,6-ジメチル-7-エチルアミノクマリン、2,2'-ジメチル-p-クオーターフェニル、2,2-ジメチル-p-ターフェニル、7
-ジメチルアミノ-1-メチル-4-メトキシ-8-アザキノロン-2、7-ジメチルアミノ-4-メチルキノロン-2、7-ジメチルアミノ-4-トリフルオロメチルクマリン、2-（4-（4-ジメチルアミノフェニル）-1,3-ブタジエニル）-3-エチルベンゾチアゾリウム過塩素酸塩、2-（6-（p-ジメチルアミノフェニル）-2,4-ネオペンチレン-1,3,5-ヘキサトリエニル）-3-メチルベンゾチアゾリウム過塩素酸塩、2-（4-（p-ジメチルアミノフェニル）-1,3-ブタジエニル）-1,3,3-トリメチル-3H-インドリウム過塩素酸塩、3,3'-ジメチルオキサトリカルボシアニンヨウ化物、2,5-ジフェニルフラン、2,5-ジフェニルオキサゾール、4,4'-ジフェニルスチルベン、1-エチル-4-（4-（p-ジメチルアミノフェニル）-1,3-ブタジエニル）-ピリジニウム過塩素酸塩、1-エチル-2-（4-（p-ジメチルアミノフェニル）-1,3-ブタジエニル）-ピリジニウム過塩素酸塩、1-エチル-4-（4-（p-ジメチルアミノフェニル）-1,3-ブタジエニル）-キノリウム過塩素酸塩、3-エチルアミノ-7-エチルイミノ-2,8-ジメチルフェノキサジン-5-イウム過塩素酸塩、9-エチルアミノ-5-エチルアミノ-10-メチル-5H-ベンゾ（a）フェノキサゾニウム過塩素酸塩、7-エチルアミノ-6-メチル-4-トリフルオロメチルクマリン、7-エチルアミノ-4-トリフルオロメチルクマリン、1,1',3,3,3',3'-ヘキサメチル-4,4',5,5'-ジベンゾ-2,2'-インドトリカルボシアニンヨウ化物、1,1',3,3,3',3'-ヘキサメチルインドジカルボシアニンヨウ化物、1,1',3,3,3',3'-ヘキサメチルインドトリカルボシアニンヨウ化物、2-メチル-5-t-ブチル-p-クオーターフェニル、N-メチル-4-トリフルオロメチルピペリジノ-＜3,2-g＞クマリン、3-（2'-N-メチルベンズイミダゾリル）-7-N,N-ジエチルアミノクマリン、2-（1-ナフチル）-5-フェニルオキサゾール、2,2'-p-フェニレン-ビス（5-フェニルオキサゾール）、3,5,3'''',5''''-テトラ-t-ブチル-p-セクシフェニル、3,5,3'''',5''''-テトラ-t-ブチル-p-クインクエフェニル、2
,3,5,6-1H,4H-テトラヒドロ-9-アセチルキノリジノ-＜9,9a,1-gh＞クマリン、2,3,5,6-1H,4H-テトラヒドロ-9-カルボエトキシキノリジノ-＜9,9a,1-gh＞クマリン、2,3,5,6-1H,4H-テトラヒドロ-8-メチルキノリジノ-＜9,9a,1-gh＞クマリン、2,3,5,6-1H,4H-テトラヒドロ-9-（3-ピリジル）-キノリジノ-＜9,9a,1-gh＞クマリン、2,3,5,6-1H,4H-テトラヒドロ-8-トリフルオロメチルキノリジノ-＜9,9a,1-gh＞クマリン、2,3,5,6-1H,4H-テトラヒドロキノリジノ-＜9,9a,1-gh＞クマリン、3,3',2'',3'''-テトラメチル-p-クオーターフェニル、2,5,2'''',5'''-テトラメチル-p-クインクエフェニル、P-ターフェニル、P-クオーターフェニル、ナイルレッド、ローダミン700、オキサジン750、ローダミン800、IR 125、IR 144、IR 140、IR 132、IR 26、IR 5、ジフェニルヘキサトリエン、ジフェニルブタジエン、テトラフェニルブタジエン、ナフタレン、アントラセン、9,10-ジフェニルアントラセン、ピレン、クリセン、ルブレン、コロネン、フェナントレンである。
【００２７】
ルミネッセンスタグは、約1ナノメートル（nm）〜約50ナノメートルの大きさ（外径に沿って測定された）を有する蛍光ナノ粒子を含むことができる。例示のルミネッセンスナノ粒子は、希土類アルミン酸塩（例えば、ユーロピウム及びディスプロシウムでドープされたストロンチウムアルミン酸塩等）、半導体ナノ粒子等（例えば、CdS、ZnS、Cd3P2、PbS等）、並びに前述の少なくとも１つを含む組合せを含む。一実施態様では、ペリレン、例えば、アントラ［2,1,9-def:6,5,10-d'e'f'］ジイソキノリン-1,3,8,10（2H,9H）-テトロン、2,9-ビス［2,6-ビス（1-メチエチル）フェニル］-5,6,12,13-テトラフェノキシ等を含むルミネッセンスタグが、ルミネッセンスタグとして利用される。
【００２８】
ルミネッセンスタグの濃度は、タグの量子効率、励起及び発光波長、並びに用いられる検出技術に依存し、一般に基板（またはタグが存在する層）の約10-18重量%〜約2重量%の量で、任意選択的に約10-15重量%〜約0.5重量%の量で、及び典型的には約10-12重量%〜約0.05重量%の量で存在するであろう。
【００２９】
認証をさらに強化するために、ポリマー組成は着色剤を付加的に含むことができる。これらの着色剤は、例えば、通常の照明条件（例えば、日光）の下で、タグ付きポリマーまたはタグ付きデータ記憶媒体に特有の外観を与えることができる。記憶媒体の容易で正確な認証を可能にするために、使用される着色剤はどれもルミネッセンス発光を妨害しないことが望ましい。例えば、着色剤は、タガント（例えば、蛍光染料）と比較して、UV励起下でルミネッセンスを示さないまたは非常に弱いルミネッセンスのみを示す。適切な着色剤は、以下の染料類の非蛍光誘導体：アントラキノン、メチン、ペリノン、アゾ、アントラピリドン、キノフタロン等、並びに前述の着色剤の少なくとも１つを含む組合せを含むことができる。
【００３０】
前述の媒体組成物、並びにタガント及び光識別子は、単なる例示であることに留意されたい。開示されるデバイス及びシステムは、様々な物品上の様々なタガント及び/または識別子を検出することができる。
【００３１】
認証システムは、ルミネッセンス発光を受け取るための１つ以上のデバイスを含むことができる。これらのデバイスは、光感知デバイス、例えば、フォトダイオード（例えば、光学フィルタ付きのフォトダイオード、RGB（赤-緑-青）フォトダイオード等）、光起電性光検出器、光導電性光検出器、光電子増倍管、電荷結合デバイス（CCD）、光周波数変換器等、並びにこれらの光感知デバイスの少なくとも１つを含む組合せを含むことができる。
【００３２】
さらに、光感知デバイスは、発光が特定の波長で検出されるような、フィルタ付きの光検出器（例えば、帯域通過フィルタ付き）であってもよく、ここで所望の波長は、検出されるべき特定のタグ（例えば、光識別子）に基づく。任意の適切な帯域通過フィルタを使用することができ、その選択される帯域幅は、光感知デバイスの所望の精度及び型に依存する。例えば、フィルタは、10ナノメートル（nm）帯域通過フィルタ（例えば、10nmの帯域幅内（例えば、480nm〜490nm、または550nm〜560nm等）にある発光のみを受け取るフィルタ）、20nm帯域通過フィルタ、30nm帯域通過フィルタ、40nm帯域通過フィルタ、60nm帯域通過フィルタ、または同様のものであってよい。
【００３３】
使用される光感知デバイスの数は、所望のルミネッセンスタグを識別するのに十分であるべきである。１つ以上の光感知デバイス（例えば、光ファイバ）を用いることができ、例えば、光ドライブのディスクリーダ（例えば、ディスクの様々な部分を読み出すためにディスク上を移動するリーダ）に取り付けることができる。識別の精度を強化するために、３個以上の光感知デバイス（例えば、３個以上の光学フィルタ付きのフォトダイオード）を用いることができ、特に４個以上の光感知デバイス、より特に８個以上の光感知デバイス、とりわけ１０個以上の光感知デバイスを用いることができ、ここで、光感知デバイスはフィルタ付き及びフィルタなしの組合せとすることができ、約３個以上の光学フィルタ付きの光感知デバイスが望ましい。光感知デバイスの数に対する上限は、空間的制限及びコストに基づき、一方、下限は所望の識別能力及び/または所望の精度を得るのに十分な数に基づく。任意選択的に、余分な光感知デバイス及び/またはソースを用いて、認証の信頼性を向上させる且つ/または認証デバイスの耐用期間中の保守を低減/回避することができる。
【００３４】
一実施態様では、認証システムは、任意選択的にRGBによる色決定を可能とする、３個の光学フィルタ付きの光感知デバイス（例えば、光学フィルタ付きのフォトダイオード）を含む。これらの光学フィルタ付きの光感知デバイスは、光源の１つの可視多波長スペクトル分布の少なくとも一部分を含む（及び望ましくは範囲内にある）異なるデバイススペクトル感度範囲を有する各光感知デバイスを用いて、スペクトル感度範囲内でアナログ発光強度を検出することができる。さらに、精度のために、光感知デバイスの少なくとも１つ（特に少なくとも２つ、とりわけ少なくとも３つ）のデバイススペクトル感度範囲は、光識別子（例えば、蛍光タグ）の光ルミネッセンス発光波長範囲の少なくとも一部分内に配置される。言い換えると、ルミネッセンス発光波長範囲が400nm〜500nmの場合、第１の光感知デバイスは380nm〜425nmのスペクトル感度範囲を有し、第２の光感知デバイスは450nm〜480nmのスペクトル感度範囲を有し、且つ第３の光感知デバイスは475nm〜510nmのスペクトル感度範囲を有することができる。代替的な例示のシステムでは、ルミネッセンス発光波長範囲が400nm〜500nmの場合、第１の光感知デバイスは400nm〜425nmのスペクトル感度範囲を有し、第２の光感知デバイスは435nm〜455nmのスペクトル感度範囲を有し、且つ第３の光感知デバイスは475nm〜510nmのスペクトル感度範囲を有することができる。ルミネッセンス発光波長範囲が400nm〜500nmで、475nmの発光ピーク波長を有するさらに別の実施態様では、第１の光感知デバイスは400nm〜425nmのスペクトル感度範囲を有し、第２の光感知デバイスは435nm〜455nmのスペクトル感度範囲を有し、且つ第３の光感知デバイスは460nm〜475nmのスペクトル感度範囲を有することができる。任意選択的に、発光ピーク波長より大きいスペクトル感度範囲を有する付加的な光感知デバイスを使用することもできる。
【００３５】
一実施態様では、第１の光感知デバイスは緑色フィルタ付きのフォトダイオードであり、第２の光感知デバイスは青色フィルタ付きのフォトダイオードであり、且つ第３の光感知デバイスは赤色フィルタ付きのフォトダイオードである。任意選択的に、フィルタ付きの光感知デバイスに加えて、光源の１つの可視多波長スペクトル分布において、フィルタ付きでない（すなわち、フィルタなしの）光感知デバイスを使用することができる。用語「フィルタなしの」光感知デバイスとは、可視範囲内で選択的波長フィルタが存在しないことを表すことに留意されたい。「フィルタなしの」光感知デバイスは、アナログ特性の検出を妨害する可能性のある紫外または近赤外の波長を遮断するためにウインドウまたはフィルタを含むことができる。
【００３６】
別の実施態様では、光源はドライブレーザである。光感知デバイス（例えば、ルミネッセンス検出器）を、ドライブリーダの近傍に配置することができ、例えば、ディスクを横切ってドライブリーダを移動させ、ルミネッセンス（例えば、蛍光）発光を長時間にわたって得るように、ドライブリーダに取り付けることができる。
【００３７】
様々な光感知デバイスのそれぞれのスペクトル感度範囲は、異なることが望ましい（システムの冗長性もまた考慮されるが）。１つ以上の光感知デバイスは、狭いデバイススペクトル感度帯域幅（すなわち、60nm以下）、例えば、5nm〜65nm、またはピーク±30nm以下を有することができる。特に、光感知デバイスの組合せは、約360nm〜約780nmの波長をカバーすることが望ましく、約400nm〜約780nmの波長のカバーは許容範囲であり、約400nm〜約700nmのカバーはさらに実際的であり、しかも良好な色決定を可能とする。
【００３８】
光感知デバイスは、40nm以下のデバイススペクトル感度帯域幅、特に20nm以下のデバイススペクトル感度帯域幅、とりわけ10nm以下のデバイススペクトル感度帯域幅を有することができる。光感知デバイスの組合せの様々な実施態様は、０、１、２、３個以上のフィルタなしの光感知デバイスと組み合わせた狭いデバイススペクトル感度帯域を有する１、２、３個以上の光感知デバイスを含む（ここで、フィルタなしとは、多波長光源のスペクトル分布の範囲内に関する）。
【００３９】
ルミネッセンス発光帯がそのピーク強度の約1%以下の強度を有する波長に対応するスペクトル感度ピーク波長を有する、付加的な光感知デバイス（例えば、フィルタ付きのフォトダイオード）を用いることができる。例えば、第４のスペクトルピーク波長は、ルミネッセンスタグの発光強度がゼロになる（すなわち、もはや検出できない）波長の±15nm以下の波長であってよい。
【００４０】
透明な（すなわち、フィルタなしの）フォトダイオードの使用もまた任意選択的である。透明なフォトダイオードは、広いスペクトルにわたって色を検出することができ、例えば、着色剤、CD-R染料の吸収の可視部分、金属効果、金属層（例えば、反射層）、及び/または「透明/無色」媒体を検出することができ、これは特定のタグ（例えば、蛍光）に加えて用いられる。透明なフォトダイオードは、典型的には、光ルミネッセンス発光の全体の輝度または色の明度/暗度に関する情報を提供する。それはまた、内部較正または自己検査手順の間に、光源が適切に作動していることを確認するために使用することもできる。
【００４１】
ルミネッセンス検出器は、光電子増倍管、電荷転送デバイス（例えば、電荷結合デバイス、強化電荷転送デバイス、電荷注入デバイス、及び/または同様のもの）、光プローブ（例えば、光ファイバプローブ）、及び/または導光素子を含むことができる。
【００４２】
媒体ドライブは任意選択的に、光プローブまたは導光素子、温度センサ、ルミネッセンス検出器を内部較正する能力（例えば、基準ルミネッセンスタグを有するもしくは有しない高反射白色区域）及び/またはその部品の完全性を検査する能力、比較器、並びに前述の少なくとも１つを含む組合せを含むことができ、ここで較正はユーザー起動且つ/または自動とすることができる。正規の方法で作動している際、検出器は合格/不合格信号、及び任意選択的にエラー状態信号を返すことができてもよい。比較器ユニットは、光感知デバイスからのアナログ信号を増幅する、フィルタに通す、且つ/または転換する等の信号処理作業を実施するための部品を含み、比較器が真正のアナログ特性と直接比較できるような検出されたアナログ特性を形成することができることに留意されたい。
【００４３】
光デバイスにおける検出器の使用により、デバイス内に配置された媒体の認証を可能となる。媒体を認証することによって、データ（例えば、デジタルコンテンツ）を媒体上に配置するまたは媒体から読み出すべきかどうかを判定することができる（例えば、媒体が真正である場合には、データを媒体上に配置するまたは媒体から読み出すことができ、一方、それが真正でない場合には、デバイスは媒体を排出することができ、データは媒体から読み出されないまたは媒体に書き込まれない）。任意選択的に、データは、コンテンツが典型的には追記型ディスク（例えば、DVD-R、CD-R等）へ転送される場所であるデジタルコンテンツライブラリから選択されるであろう。データは、圧縮された（例えば、MP3、MPEG-2、JPEG等）または圧縮されない形式とすることができるであろう。
【００４４】
例えば、データ記憶媒体を認証する方法は、ユーザーに真正の媒体を提供する（例えば、ユーザーに真正の媒体を販売する）工程を含むことができる。媒体が光デバイス内に配置されると、それは認証される（例えば、それが適切に購入されたことを確認するために）。図７は、媒体上、例えばCD-Rディスク上に含まれる色及び/またはルミネッセンスの検出に基づく、キオスクマシンの動作を制御するための１つの可能な方法を例示する。検出の間、励起源は、真正の媒体に所定の波長/波長範囲で光ルミネッセンス発光を生成させる電波を放つ。フィルタ付きフォトダイオードはその発光を検出し、信号を比較器に与える（例えば、特定のフィルタ付きフォトダイオードのスペクトル感度ピーク波長での発光強度）。比較器（例えば、コンピュータ、マイクロプロセッサ、論理回路基板、または同様のもの）は、媒体が真正であるかどうかを判定するために、受け取った信号を期待される信号と比較することができる。媒体が真正でない場合には、比較器は、光デバイスがユーザー選択デジタルコンテンツを媒体から読み出すまたは媒体へ書き込むことを阻止することができる。
【００４５】
比較器は、例えば、認証されるデータ記憶媒体から得られる発光の値と比較される、コンピュータ内にあらかじめプログラムされた色発光及び/またはルミネッセンス発光の事前の値を用いて作動することができる。あるいは、色発光及び/またはルミネッセンス発光の得られた値を、ユーザー提供データ記憶媒体から読み出し可能な色及び/またはルミネッセンス認証コードを読み出すことによって得られる、事前に準備された色及びルミネッセンス値と比較することができる。任意選択的に、認証は、デジタルセキュリティ識別子（ディスク上に付けられたシリアル番号または符号、エラーパターン、デジタル透かし、コンテンツ表内の特別な識別子、ディスクの導入領域内の特別なデジタル符号、ドライブレーザにさらされると状態変化を受けるデータのセクタまたはクラスタ等）の存在を確認することを含むことができる。
【００４６】
図８を参照すると、媒体ドライブ内の媒体（例えば、キオスク内のCD-RまたはDVDプレーヤー内のDVD）の認証のための認証スキームが例示される。検出器内の複数のフォトダイオードは、それぞれ信号（S1、S2・・・Sn）を検出する。検出された信号は、所定の範囲（それぞれの上限X1,最大、X2,最大,・・・Xn,最大、及びそれぞれの下限X1,最小、X2,最小,・・・Xn,最小）と比較される。検出された信号が真正である場合には（すなわち、X1,最大≧S1≧X1,最小；X2,最大≧S2≧X2,最小・・・、及びXn,最大≧Sn≧Xn,最小）、ドライブは焼く/読み出す準備ができている。しかしながら、媒体が真正でない場合には（すなわち、X1,最大≦S1、S1≦X1,最小、X2,最大≦S2、S2≦X2,最小、・・・、Xn,最大≦Sn、及び/またはSn≦Xn,最小）、媒体から読み出すまたは媒体へ書き込むことなく、ドライブトレイが開くであろう。あるいは、またはさらに、真正でないディスクに対してデータを読み出す且つ/または書き込むことを他の方法で防止するために、ドライブインターフェースを通じてエラー信号を送ることができるであろう。
【００４７】
範囲は任意の所望の方法で設定することができ、例えば、終点は包括的または排他的（または異なる信号に対するそれらの組合せ）であってよく、媒体は、それが１つの信号基準に合致しない場合には拒絶され、または１つ以上の基準が失敗した後でのみ失敗となることに留意されたい。さらには、この型のシステムは、新しい媒体システムの一部分であってよく、または現在の媒体システムのアップグレード版とすることができる。特定の媒体認証デバイスに対する必要性及び使用性に応じて、論理部を固定することができ、または変更可能（例えばアップグレード可能）とすることができる。最後に、複数の論理部をデバイス内で用いて、多数の異なる媒体を認証させることができる。
【００４８】
例えば、光識別子を含むデータ記憶媒体からの色発光及び/またはルミネッセンス発光の検出は、ユーザー提供データ記憶媒体をデータ記憶媒体のラベル及び/または読み出し側からの光に暴露する工程、並びにユーザー提供データ記憶媒体の側面または端部から検出されるルミネッセンス及び散乱を収集及び解析する工程を含むことができる。光識別子を含むユーザー提供データ記憶媒体が認証されると、その時のみキオスクコンピュータは、キオスクマシンのユーザーによってキオスクマシンに提供されたデータ記憶媒体上へのユーザー選択デジタルコンテンツの記録を許可するであろう。キオスクコンピュータまたは他のキオスクマシン部品の変更を防止するために、キオスクマシンは改変防止構造内に収容されうることが好ましい。
【００４９】
タグに加えて、認証されるデータ記憶媒体及びその上に配置されるデータは、ユーザー、デジタルコンテンツが記録されたマシン等（例えば、媒体を追跡可能とするために）についての識別情報を、その上に付加的に記録することができる。データ記憶媒体上へ付加的に記録されうる識別情報のいくつかの限定されない例は、ユーザー名、クレジットカード情報、記録日時、記録のための請求額、データ記憶媒体複写防止を示す付加的セキュリティ特徴等であってよい。
【００５０】
前述のように、例示のシステムは、媒体の型を識別するために複数（例えば、２つ以上）のレーザを使用する媒体ドライブ内に、ルミネッセンス検出器を含む。本方法は、ディスク識別処理から生じるルミネッセンス発光を使用することができる。図１Ａ〜１Ｄを参照すると、この識別の原理がグラフで例示される。図１Ａは、光ディスクの材料が650nmまたは780nmのいずれのレーザ励起の下でも蛍光を放出しない時の検出器の応答を示す。図２Ｂは、光ディスクの材料が650nmのレーザ励起の下でのみ蛍光を放出する時の検出器の応答を示す。図２Ｃは、光ディスクの材料が780nmのレーザ励起の下でのみ蛍光を放出する時の検出器の応答を示す。図２Ｄは、光ディスクの材料が650nm及び780nmの両方のレーザ励起の下で蛍光を放出する時の検出器の応答を示す。他の可能な励起、例えば青色レーザ、例えば405nm等もまた考慮される。
【００５１】
図２及び３において、光ドライブからのレーザ発光を、Ocean Optics分光光度計等の高速スペクトル光検出器を用いて測定した。図２は、光ディスクが動き始めた時の、光ドライブ内の650nm及び780nmレーザのスペクトル応答を示し、一方、図３は、光ディスクが動き始めた時の、光ドライブ内の650nm及び780nmレーザのスペクトル時間応答を示す。
【００５２】
図４は２つのスペクトルを示し、１つのスペクトルは、赤外フルオロフォアを有しないディスクから収集される。フルオロフォアを有するディスクについては、近赤外フルオロフォアを、反射層の上部のフィルムとして光ディスク内に組み入れた。光ドライブ（780nmレーザを備える）を使用する透過蛍光検出が実施され、これは検出された蛍光の最小量を提供する。この挑戦的な実施例は、このような困難な状況における蛍光検出の可能性を実証する目的で選択された。フルオロフォアのないディスクは、レーザの線（点線）のみを有するスペクトルを形成した。明らかに、赤外フルオロフォアの蛍光スペクトル（実線）は、高い信号対雑音比で分解される。
【００５３】
ルミネッセンス発光プロファイルを確認するために、図４におけるディスクのルミネッセンスを、633nmの外部レーザ（例えば、光ドライブの外側のレーザ）を用いてさらに励起した。このレーザを用いて収集されたルミネッセンススペクトルは、図５で示される。２つのスペクトル（図４及び５）の比較は、図６で示されるように、２つのプロファイルの良好な対応を実証した。
【００５４】
この認証システムは、媒体ドライブ等の様々な認証用途において使用することができる。それは、データ記憶媒体（例えば、DVD、CD、ハイブリッドディスク等のディスク）を認証するために使用することができ、ここで認証は、媒体の読み出し側から及び/または非読み出し側から（例えば、ルミネッセンス検出器の位置に応じて）判定することができる。簡素化のために、１つのルミネッセンス検出器を、１つのドライブリーダの近傍に（例えば、取り付けて）配置することができ、任意選択的に、複数の検出器を、１つ以上のドライブリーダの近傍に（例えば、取り付けて）配置することができ、それによって、リーダとディスクとの間に相対運動が生じ（例えば、リーダがディスクから情報を得ることができるような）、検出器はディスクの全域でルミネッセンス発光強度を決定することができる。従って、経時的な発光に基づいて、発光の位置及び強度を得て、認証の判定を可能にできる。
【００５５】
従って、このシステムは、ディスクと電磁放射源（例えば、ドライブレーザ）、並びに可動式ルミネッセンス検出器（例えば、ドライブリーダに取り付けられた）の間の相対的な放射状の動作を含むことができる。例えば、システムは、可動式電磁放射源（例えば、ドライブレーザ）及び可動式ルミネッセンス検出器（例えば、ドライブリーダに取り付けられた）を含んでよく、それによって、ディスクは認証の間回転することができ、一方、可動式電磁放射源及び可動式ルミネッセンス検出器は放射状に移動できる。次いで、経時的に発光を判定することにより、フルオロフォア（例えば、タグ）の位置、並びにその強度、及び/または他の特性を測定して、認証を可能にできる。可動式ルミネッセンス検出器が用いられる場合には、自動焦点及び/または追跡技術を利用することができる。例えば、感知デバイスを、媒体に対して放射状に動くことができるスレッド上に、例えばレール上に取り付ける。このスレッドは、任意選択的に、例えば、モータ、圧電デバイス、または同様のものを用いて、媒体に対して上下に（ｚ軸上に）動くこともできる。
【００５６】
本発明は好ましい実施態様を参照して述べられてきたが、本発明の範囲から逸脱することなく、様々な変更をすることができ、その要素に対して同等物で置換することができることが当業者には理解されるであろう。さらに、本発明の本質的な範囲から逸脱することなく、特定の状態または材料を本発明の教唆に適合させるために、多くの変更を行うことができる。従って、本発明は、この発明を実施すために考慮される最良の形態として開示される特定の実施態様に限定されず、添付の特許請求の範囲内に入るすべての実施態様を含むであろうことが意図される。
【００５７】
前述の及びその他の特徴は、以下の図面及び詳細な説明によって例示される。
【００５８】
ここで、例示的な実施態様である図面を参照されたく、同じ要素には同じように番号がつけられている。
【図面の簡単な説明】
【００５９】
【図１】光ドライブのレーザを使用する光ディスク材料の識別の原理のグラフ表示。
【図２】光ディスクが動き始めた時の光ドライブ内の650nm及び780nmレーザのスペクトル応答のグラフ表示。
【図３】光ディスクが動き始めた時の光ドライブ内の650nm及び780nmレーザの時間応答のグラフ表示。
【図４】光ドライブ内のレーザを使用して、赤外フルオロフォアタガントを有する（実線）及び有しない（点線）ディスクから収集されたスペクトルのグラフ表示。
【図５】外部レーザ（光ドライブの外側）を用いて収集された、近赤外フルオロフォアを有する光ディスクの蛍光スペクトルのグラフ表示。
【図６】外部レーザ（実線）及び光ドライブ内の元のレーザ（点線）を用いた励起の下での蛍光スペクトルのグラフ比較図。
【図７】光ドライブ内の認証システムを用いた方法の一実施態様のフローチャート。
【図８】キオスクマシン内の認証システムの複数フォトダイオードからの信号に基づく、データ記憶媒体を認証するための方法の一実施態様のフローチャート。
【図１】
2009510663.tif 000003
【図２】
2009510663.tif 000004
【図３】
2009510663.tif 000005
【図４】
2009510663.tif 000006
【図５】
2009510663.tif 000007
【図６】
2009510663.tif 000008
【図７】
2009510663.tif 000009
【図８】
2009510663.tif 000010
【国際調査報告】
2009510663.tif 000011
2009510663.tif 000012